(57)【要約】【課題】無線ＬＡＮ基地局にかかる負荷をトラヒックに応じて適時調整する。【解決手段】無線ＬＡＮ基地局１−１〜１−３と通信を行う移動端末３−１〜３−ｎの数が、無線ＬＡＮ基地局１−１〜１−３にて管理され、移動端末３−１〜３−ｎの数の増減に基づいて移動端末３−１〜３−ｎにおける受信電界強度閾値が決定され、決定された受信電界強度閾値がフレームに挿入されて移動端末３−１〜３−ｎへ送信される。移動端末３−１〜３−ｎにて、無線ＬＡＮ基地局１−１〜１−３から送信されたフレームから受信電界強度閾値が抽出され、無線ＬＡＮ基地局１−１〜１−３から送信されてきた信号の受信電界強度が受信電界強度閾値よりも高い場合、無線ＬＡＮ基地局から送信されてきた信号に基づく処理が行われる。【選択図】図１
2007174543.tif 000002
【特許請求の範囲】
【請求項１】
移動端末と、該移動端末と接続可能に構成された無線ＬＡＮ基地局とを有する無線ＬＡＮシステムにおいて、
前記無線ＬＡＮ基地局は、該無線ＬＡＮ基地局と通信を行う前記移動端末の数を管理し、前記移動端末の数の増減に基づいて前記移動端末における受信電界強度閾値を決定し、前記決定された受信電界強度閾値をフレームに挿入して前記移動端末へ送信し、
前記移動端末は、前記無線ＬＡＮ基地局から送信されたフレームから前記受信電界強度閾値を抽出して格納し、前記無線ＬＡＮ基地局から送信されてきた信号の受信電界強度が前記受信電界強度閾値よりも高い場合、前記無線ＬＡＮ基地局から送信されてきた信号に基づく処理を行うことを特徴とする無線ＬＡＮシステム。
【請求項２】
請求項１に記載の無線ＬＡＮシステムにおいて、
前記無線ＬＡＮ基地局は、前記移動端末の数が予め設定された数よりも増加した場合、前記受信電界強度閾値を現在の受信電界強度閾値よりも高くし、前記移動端末の数が予め設定された数よりも減少した場合、前記受信電界強度閾値を現在の受信電界強度閾値よりも低くすることを特徴とする無線ＬＡＮシステム。
【請求項３】
請求項１または請求項２に記載の無線ＬＡＮシステムにおいて、
前記フレームは、Ｂｅａｃｏｎフレームであることを特徴とする無線ＬＡＮシステム。
【請求項４】
移動端末と、該移動端末と接続可能に構成された無線ＬＡＮ基地局とを有する無線ＬＡＮシステムにおける無線ＬＡＮ制御方法であって、
前記無線ＬＡＮ基地局が、該無線ＬＡＮ基地局と通信を行う前記移動端末の数を管理するステップと、
前記無線ＬＡＮ基地局が、前記移動端末の数の増減に基づいて前記移動端末における受信電界強度閾値を決定するステップと、
前記無線ＬＡＮ基地局が、前記決定された受信電界強度閾値をフレームに挿入するステップと、
前記無線ＬＡＮ基地局が、前記フレームを前記移動端末へ送信するステップと、
前記移動端末が、前記無線ＬＡＮ基地局から送信されたフレームから前記受信電界強度閾値を抽出するステップと、
前記移動端末が、前記抽出された受信電界強度閾値を格納するステップと、
前記移動端末が、前記無線ＬＡＮ基地局から送信されてきた信号の受信電界強度が前記受信電界強度閾値よりも高い場合、前記無線ＬＡＮ基地局から送信されてきた信号に基づく処理を行うステップとを有する無線ＬＡＮ制御方法。
【請求項５】
請求項４に記載の無線ＬＡＮ制御方法において、
前記無線ＬＡＮ基地局が、前記移動端末の数が予め設定された数よりも増加した場合、前記受信電界強度閾値を現在の受信電界強度閾値よりも高くするステップと、
前記無線ＬＡＮ基地局が、前記移動端末の数が予め設定された数よりも減少した場合、前記受信電界強度閾値を現在の受信電界強度閾値よりも低くするステップとを有することを特徴とする無線ＬＡＮ制御方法。
【請求項６】
請求項４または請求項５に記載の無線ＬＡＮ制御方法において、
前記フレームは、Ｂｅａｃｏｎフレームであることを特徴とする無線ＬＡＮ制御方法。
【発明の詳細な説明】
【技術分野】
【０００１】
本発明は、無線通信を行う移動端末の無線特性を制御するための無線ＬＡＮシステム及び無線ＬＡＮ制御方法に関する。
【背景技術】
【０００２】
一般的に、無線ＬＡＮシステムにおけるトラヒックの疎密は時間によって変化する。そのため、構築された無線ＬＡＮシステムにて使用される移動端末の総数に応じて十分な数の無線ＬＡＮ基地局が設置された場合であっても、時間帯によってはトラヒックが非常に密な状態になってしまうエリアが存在する一方、全くトラヒックが無いエリアが存在するという状態が生じることがある。トラヒックが非常に密な状態であるエリアにおいては、当該エリアに存在する移動端末にて、通信レートの不足、着信の遅延、データの廃棄等の不具合が生じてしまう。このような不具合を解消するために、トラヒックが密な状態になっているエリアをカバーしている無線ＬＡＮ基地局にかかる負荷を分散させる必要がある。
【０００３】
無線ＬＡＮ基地局にかかる負荷を調整するためには、当該無線ＬＡＮ基地局がカバーするエリアの大きさを調整する方法が考えられる。
【０００４】
そこで、無線ＬＡＮ基地局における受信信号が受信可能な信号レベルである受信レベル閾値を、無線ＬＡＮ基地局を制御する制御装置に接続された端末から変更することにより、無線ＬＡＮ基地局がカバーするカバーエリアの大きさを調整して負荷の分散を図る方法が考えられている（例えば、特許文献１参照。）。
【特許文献１】特開平０８−１７２３９３号公報
【発明の開示】
【発明が解決しようとする課題】
【０００５】
しかしながら、特許文献１に記載された方法においては、時間帯によって刻々と変化するトラヒックに応じた変更をその都度行わなければならないという問題点がある。
【０００６】
本発明は、上述したような従来の技術が有する問題点に鑑みてなされたものであって、無線ＬＡＮ基地局にかかる負荷をトラヒックに応じて適時調整することができる無線ＬＡＮシステム及び無線ＬＡＮ制御方法を提供することを目的とする。
【課題を解決するための手段】
【０００７】
上記目的を達成するために本発明は、
移動端末と、該移動端末と接続可能に構成された無線ＬＡＮ基地局とを有する無線ＬＡＮシステムにおいて、
前記無線ＬＡＮ基地局は、該無線ＬＡＮ基地局と通信を行う前記移動端末の数を管理し、前記移動端末の数の増減に基づいて前記移動端末における受信電界強度閾値を決定し、前記決定された受信電界強度閾値をフレームに挿入して前記移動端末へ送信し、
前記移動端末は、前記無線ＬＡＮ基地局から送信されたフレームから前記受信電界強度閾値を抽出して格納し、前記無線ＬＡＮ基地局から送信されてきた信号の受信電界強度が前記受信電界強度閾値よりも高い場合、前記無線ＬＡＮ基地局から送信されてきた信号に基づく処理を行うことを特徴とする。
【０００８】
また、前記無線ＬＡＮ基地局は、前記移動端末の数が予め設定された数よりも増加した場合、前記受信電界強度閾値を現在の受信電界強度閾値よりも高くし、前記移動端末の数が予め設定された数よりも減少した場合、前記受信電界強度閾値を現在の受信電界強度閾値よりも低くすることを特徴とする。
【０００９】
また、前記フレームは、Ｂｅａｃｏｎフレームであることを特徴とする。
【００１０】
また、移動端末と、該移動端末と接続可能に構成された無線ＬＡＮ基地局とを有する無線ＬＡＮシステムにおける無線ＬＡＮ制御方法であって、
前記無線ＬＡＮ基地局が、該無線ＬＡＮ基地局と通信を行う前記移動端末の数を管理するステップと、
前記無線ＬＡＮ基地局が、前記移動端末の数の増減に基づいて前記移動端末における受信電界強度閾値を決定するステップと、
前記無線ＬＡＮ基地局が、前記決定された受信電界強度閾値をフレームに挿入するステップと、
前記無線ＬＡＮ基地局が、前記フレームを前記移動端末へ送信するステップと、
前記移動端末が、前記無線ＬＡＮ基地局から送信されたフレームから前記受信電界強度閾値を抽出するステップと、
前記移動端末が、前記抽出された受信電界強度閾値を格納するステップと、
前記移動端末が、前記無線ＬＡＮ基地局から送信されてきた信号の受信電界強度が前記受信電界強度閾値よりも高い場合、前記無線ＬＡＮ基地局から送信されてきた信号に基づく処理を行うステップとを有する。
【００１１】
また、前記無線ＬＡＮ基地局が、前記移動端末の数が予め設定された数よりも増加した場合、前記受信電界強度閾値を現在の受信電界強度閾値よりも高くするステップと、
前記無線ＬＡＮ基地局が、前記移動端末の数が予め設定された数よりも減少した場合、前記受信電界強度閾値を現在の受信電界強度閾値よりも低くするステップとを有することを特徴とする。
【００１２】
また、前記フレームは、Ｂｅａｃｏｎフレームであることを特徴とする無線ＬＡＮ制御方法。
【００１３】
上記のように構成された本発明においては、無線ＬＡＮ基地局において、該無線ＬＡＮ基地局と通信を行う移動端末の数が管理され、移動端末の数の増減に基づいて移動端末における受信電界強度閾値が決定され、決定された受信電界強度閾値がフレームに挿入されて移動端末へ送信され、移動端末にて、無線ＬＡＮ基地局から送信されたフレームから受信電界強度閾値が抽出されて格納され、無線ＬＡＮ基地局から送信されてきた信号の受信電界強度が受信電界強度閾値よりも高い場合、無線ＬＡＮ基地局から送信されてきた信号に基づく処理が行われる。
【００１４】
このように、無線ＬＡＮ基地局と通信を行う移動端末の数に基づいて、移動端末における受信電界強度の閾値が変更されるため、移動端末が通信を行っている無線ＬＡＮ基地局がカバーするエリアの大きさが自動的に調整されるものと同様の作用が得られる。
【発明の効果】
【００１５】
以上説明したように本発明においては、無線ＬＡＮ基地局は、該無線ＬＡＮ基地局と通信を行う移動端末の数を管理し、移動端末の数の増減に基づいて移動端末における受信電界強度閾値を決定し、決定された受信電界強度閾値をフレームに挿入して移動端末へ送信し、移動端末は、無線ＬＡＮ基地局から送信されたフレームから受信電界強度閾値を抽出して格納し、無線ＬＡＮ基地局から送信されてきた信号の受信電界強度が受信電界強度閾値よりも高い場合、無線ＬＡＮ基地局から送信されてきた信号に基づく処理を行う構成としたため、無線ＬＡＮ基地局にかかる負荷をトラヒックに応じて適時調整することができる。
【発明を実施するための最良の形態】
【００１６】
以下に、本発明の実施の形態について図面を参照して説明する。
【００１７】
図１は、本発明の無線ＬＡＮシステムの実施の一形態を示す図である。
【００１８】
図１に示すように本形態においては、無線ＬＡＮ基地局１−１〜１−３と、無線ＬＡＮ基地局１−１〜１−３がカバーするエリア内に移動端末３−１〜３−ｎとが設けられており、無線ＬＡＮ基地局１−１と無線ＬＡＮ基地局１−２とは隣接しており、また、無線ＬＡＮ基地局１−２と無線ＬＡＮ基地局１−３とは隣接しており、また、無線ＬＡＮ基地局１−１〜１−３がカバーするエリアがそれぞれカバーエリア２−１〜２−３となっている。
【００１９】
図２は、図１に示した無線ＬＡＮシステムにおける無線ＬＡＮ基地局１−１の構成を示す図である。
【００２０】
図１に示した無線ＬＡＮ基地局１−１は図２に示すように、図１に示した移動端末３−１〜３−ｎとの間にて無線信号の送受信を行う無線インタフェース１１と、無線ＬＡＮ基地局１−１に接続されている移動端末３−１〜３−ｎを管理する接続端末管理部１２と、無線インタフェース１１にて受信された受信信号についてＲＳＳＩ（Received Signal Strength Indicator：受信電界強度）値を測定する受信電界強度測定部１３と、接続端末管理部１２にて管理されている移動端末３−１〜３−ｎの情報と受信電界強度測定部１３にて測定されたＲＳＳＩ値とを対応付けて格納する受信電界強度格納部１４と、受信電界強度格納部１４に格納されたＲＳＳＩ値に応じて移動端末３−１〜３−ｎにおけるＲＳＳＩ閾値を計算する閾値計算部１５と、閾値計算部１５にて計算されたＲＳＳＩ閾値を格納する閾値格納部１６と、閾値格納部１６に格納されたＲＳＳＩ閾値を移動端末３−１〜３−ｎへ送信するＢｅａｃｏｎフレームに挿入してＢｅａｃｏｎフレームを生成するフレーム生成部１７とから構成されている。なお、受信電界強度格納部１４及び閾値格納部１６については、揮発性メモリを使用しても良いし、不揮発性メモリを使用しても良い。また、図２は、無線ＬＡＮ基地局１−１において、本発明に関する構成のみを示している。また、図１に示した無線ＬＡＮ基地局１−２〜１−３についても、無線ＬＡＮ基地局１−１と同様の構成である。
【００２１】
図３は、図２に示した受信電界強度格納部１４の内容を示す図である。
【００２２】
図２に示した受信電界強度格納部１４は図３に示すように、無線ＬＡＮ基地局１−１〜１−３に接続されている移動端末３−１〜３−ｎのＭＡＣアドレスと、移動端末３−１〜３−ｎから送信された信号が無線ＬＡＮ基地局１−１にて受信された際に受信電界強度測定部１３にて測定されたＲＳＳＩ値とが対応付けられて格納されている。
【００２３】
図４は、図１に示した無線ＬＡＮシステムにおける移動端末３−１の構成を示す図である。
【００２４】
図１に示した移動端末３−１は図４に示すように、図１に示した無線ＬＡＮ基地局１−１〜１−３から送信された無線信号を受信する無線インタフェース部３１と、無線インタフェース部３１にて受信された受信信号について受信電界強度を測定する受信電界強度測定部３２と、無線インタフェース部３１にて受信された受信信号のうちＢｅａｃｏｎフレームに含まれたＲＳＳＩ閾値を格納する閾値格納部３３と、受信電界強度測定部３２にて測定された受信電界強度と閾値格納部３３に格納されたＲＳＳＩ閾値とを比較する比較部３４と、比較部３４にて比較された結果に基づいて無線インタフェース部３１にて受信された信号を処理する処理部３５とから構成されている。なお、閾値格納部３３については、揮発性メモリを使用しても良いし、不揮発性メモリを使用しても良い。また、図４は、移動端末３−１において、本発明に関する構成のみを示している。また、図１に示した移動端末３−２〜３−ｎについても、移動端末３−１と同様の構成である。
【００２５】
以下に、上記のように構成された無線ＬＡＮシステムにおける無線ＬＡＮ制御方法について説明する。
【００２６】
まず、図１に示した移動端末３−１〜３−ｎの無線特性を制御するための情報であるＲＳＳＩ閾値の変更方法について説明する。
【００２７】
図５は、図１〜４に示した無線ＬＡＮシステムにおけるＲＳＳＩ閾値の変更方法を説明するためのフローチャートである。ここでは、図２に示した無線ＬＡＮ基地局１−１における処理を例に挙げて説明する。
【００２８】
また、図６は、図５のフローチャートにて説明するＲＳＳＩ閾値の変更方法における無線ＬＡＮ基地局１−１と接続される移動端末３−１〜３−ｎの数とＲＳＳＩ閾値とのヒステリシス特性を示す図である。
【００２９】
まず初期設定として、無線ＬＡＮ基地局１−１には、無線ＬＡＮ基地局１−１と接続可能な移動端末３−１〜３−ｎの最大数Ｎが予め設定されている。
【００３０】
無線ＬＡＮ基地局１−１の接続端末管理部１２にて、無線ＬＡＮ基地局１−１がカバーするカバーエリア２−１に存在する移動端末３−１〜３−ｎの数が管理されており、動端末３−１〜３−ｎの数に変更があるかどうかが判断されている（ステップＳ１）。移動端末３−１〜３−ｎの数が増加したと判断された場合、つまり新規の移動端末３−１〜３−ｎがカバーエリア２−１に入ったと判断された場合、増加前の移動端末３−１〜３−ｎの数がＮであるかどうかが判断される（ステップＳ２）。ここでＮは、予め設定された数であり、受信電界強度閾値が決定されるための移動端末３−１〜３−ｎの数の指標である。
【００３１】
ステップＳ２にて、増加前の移動端末３−１〜３−ｎの数がＮであると判断された場合、新規の移動端末３−１〜３−ｎから送信されたアソシエーション要求信号に対して、アクセスを拒否する旨がアソシエーション応答信号として接続端末管理部１２から無線インタフェース部１１を介して新規の移動端末３−１〜３−ｎへ送信される（ステップＳ３）。これは、図６に示したヒステリシス特性におけるＡの部分となる。
【００３２】
一方、ステップＳ２にて、増加前の移動端末３−１〜３−ｎの数がＮではないと判断された場合、増加前の移動端末３−１〜３−ｎの数がＮ−１であるかどうかが判断される（ステップＳ４）。
【００３３】
ステップＳ４にて、増加前の移動端末３−１〜３−ｎの数がＮ−１であると判断された場合、新規の移動端末３−１〜３−ｎから送信されたアソシエーション要求信号が無線ＬＡＮ基地局１−１〜１−３にて受信された際のＲＳＳＩ値が受信電界強度測定部１３にて測定される。そして、測定されたＲＳＳＩ値とアソシエーション要求信号に含まれる当該移動端末３−１〜３−ｎのＭＡＣアドレス等の識別情報とが対応付けられて受信電界強度格納部１４に格納される（ステップＳ５）。
【００３４】
その後、閾値計算部１５において、受信電界強度格納部１４に格納されている複数の移動端末３−１〜３−ｎのＲＳＳＩ値のうち、最小値となるＲＳＳＩ値がＲｓｌｏｗとされる。そして、Ｒｓｌｏｗから予め設定されたαが差し引かれた値がＲｓとして新しいＲＳＳＩ閾値が決定され、新しいＲＳＳＩ閾値が閾値格納部１６に格納される（ステップＳ６）。これは、図６に示したヒステリシス特性におけるＢの部分となる。
【００３５】
そして、閾値格納部１６に格納されたＲＳＳＩ閾値は、フレーム生成部１７にて移動端末３−１〜３−ｎへ送信するＢｅａｃｏｎフレームに挿入されてＢｅａｃｏｎフレームが生成され、生成されたＢｅａｃｏｎフレームが無線インタフェース部１１を介して移動端末３−１〜３−ｎへ送信される（ステップＳ７）。
【００３６】
図７は、ＲＳＳＩ閾値が挿入されて生成されるＢｅａｃｏｎフレームのフォーマットを示す図である。
【００３７】
図７に示すようにＢｅａｃｏｎフレームは、２オクテットのフレーム制御エリアと、２オクテットのデュレーション／ＩＤエリアと、それぞれ６オクテットのアドレス１〜４エリアと、２オクテットのシーケンス制御エリアと、０〜２３１２オクテットのフレーム本体（ボディ）エリア５１と、４オクテットのＦＣＳエリアとから構成されている。なお、本構成は、通常使用されるＢｅａｃｏｎフレームのフォーマットと同様である。
【００３８】
図８は、図７に示したＢｅａｃｏｎフレームのフレーム本体（ボディ）５１の内容を示す図である。
【００３９】
図８に示すようにフレーム本体（ボディ）５１の空き領域である１オクテットに、ＲＳＳＩ閾値が挿入される。
【００４０】
ステップＳ４にて、増加前の移動端末３−１〜３−ｎの数がＮ−１ではないと判断された場合、新規の移動端末３−１〜３−ｎから送信されたアソシエーション要求信号が無線ＬＡＮ基地局１−１にて受信される際のＲＳＳＩ値が受信電界強度測定部１３にて測定され、測定されたＲＳＳＩ値とアソシエーション要求信号に含まれる当該移動端末３−１〜３−ｎのＭＡＣアドレス等の識別情報とが対応付けられて受信電界強度格納部１４に格納される（ステップＳ８）。
【００４１】
また、ステップＳ１にて、移動端末３−１〜３−ｎの数が減少したと判断された場合、つまり移動端末３−１〜３−ｎのうち１台がカバーエリア２−１〜２−３から出たと判断された場合、減少前の移動端末３−１〜３−ｎの数がＮ−２であるかどうかが判断される（ステップＳ９）。
【００４２】
ステップＳ９にて、減少前の移動端末３−１〜３−ｎの数がＮ−２であると判断された場合、カバーエリア２−１〜２−３から出た移動端末３−１〜３−ｎのＲＳＳＩ値とＭＡＣアドレス等の識別情報とが受信電界強度格納部１４から削除され（ステップＳ１０）、閾値計算部１５において、ＲＳＳＩ閾値が無線ＬＡＮ基地局１−１〜１−３にて予め設定された最小値であるＲｓｍｉｎに決定される（ステップＳ１１）。これは、図６に示したヒステリシス特性におけるＣの部分となる。なお、図６に示すように、上述したＲｓｌｏｗ−αよりもＲｓｍｉｎの方が、低い値の閾値である。
【００４３】
そして、決定されたＲＳＳＩ閾値は、フレーム生成部１７にて移動端末３−１〜３−ｎへ送信するＢｅａｃｏｎフレームに挿入されてＢｅａｃｏｎフレームが生成され、生成されたＢｅａｃｏｎフレームが無線インタフェース部１１を介して移動端末３−１〜３−ｎへ送信される（ステップＳ１２）。
【００４４】
ステップＳ９にて、減少前の移動端末３−１〜３−ｎの数がＮ−２ではないと判断された場合、カバーエリア２−１〜２−３から出た移動端末３−１〜３−ｎのＲＳＳＩ値とＭＡＣアドレス等の識別情報とが受信電界強度格納部１４から削除される（ステップＳ１３）。
【００４５】
また、ステップＳ７及びステップＳ１２にて無線ＬＡＮ基地局１−１から送信されたＢｅａｃｏｎフレームは、移動端末３−１〜３−ｎの無線インタフェース部３１にて受信され、受信されたＢｅａｃｏｎフレームからＲＳＳＩ閾値が抽出され、抽出されたＲＳＳＩ閾値が図４に示した閾値格納部３３に格納される。
【００４６】
なお、図１に示した無線ＬＡＮ基地局１−２〜１−３についても、上述した無線ＬＡＮ基地局１−１と同様の処理が行われる。
【００４７】
次に、上述したようにＲＳＳＩ閾値が変更された移動端末３−１における処理について説明する。
【００４８】
図９は、図５に示したフローチャートにて説明したＲＳＳＩ閾値の変更方法によりＲＳＳＩ閾値及が変更された移動端末３−１における処理を説明するためのフローチャートである。
【００４９】
無線ＬＡＮ基地局１−１〜１−３から送信された信号が図４に示した移動端末３−１の無線インタフェース部３１にて受信されると（ステップＳ２１）、受信された信号の受信電界強度が受信電界強度測定部３２にて測定され（ステップＳ２２）、測定された受信電界強度が比較部３４に出力される。
【００５０】
比較部３４に受信電界強度が入力されると、比較部３４にて閾値格納部３３に予め格納されているＲＳＳＩ閾値が読み出され（ステップＳ２３）、入力された受信電界強度と読み出されたＲＳＳＩ閾値とが比較される（ステップＳ２４）。
【００５１】
比較された結果、受信電界強度がＲＳＳＩ閾値よりも大きいと判断された場合、受信された信号に基づいた処理が処理部３５にて行われる（ステップＳ２５）。
【００５２】
一方、比較された結果、受信電界強度がＲＳＳＩ閾値よりも大きくはないと判断された場合は、何も処理が行われない。つまり、受信された信号は拒否されることとなる。
【００５３】
なお、移動端末３−２〜３−ｎについても、上述した移動端末３−１と同様の処理が行われる。
【００５４】
以下に、上述したＲＳＳＩ閾値の変更が、図１に示した無線ＬＡＮシステムに与える影響について説明する。
【００５５】
図１０は、移動端末３−１〜３−ｎに設定されるＲＳＳＩ閾値が現在設定されている値よりも高い値に変更された場合の無線ＬＡＮシステムの様子を示す図である。ここでは、移動端末３−１〜３−３が無線ＬＡＮ基地局１−２と通信を行っている場合を例に挙げて説明する。
【００５６】
図１０に示すように、図５に示したステップＳ６の処理によってＲＳＳＩ閾値が現在設定されている値よりも高い値に設定されると、カバーエリア２−２が狭くなり、移動端末３−３がカバーエリア２−２の外に出やすくなる。これにより、移動端末３−３が少しでも外側に移動すると、カバーエリア２−２の外に出ることとなり、移動端末３−３は無線ＬＡＮ基地局１−２との通信が不可能となり、他の無線ＬＡＮ基地局と接続しなければならなくなる。そのため、無線ＬＡＮ基地局１−２の負荷が軽減される。
【００５７】
図１１は、移動端末３−１〜３−ｎに設定されるＲＳＳＩ閾値が現在設定されている値よりも低い値に変更された場合の無線ＬＡＮシステムの様子を示す図である。図１０と同様に、移動端末３−１〜３−３が無線ＬＡＮ基地局１−２と通信を行っている場合を例に挙げて説明する。
【００５８】
図１１に示すように、図５に示したステップＳ１１の処理によってＲＳＳＩ閾値が現在設定されている値よりも低い値に設定されると、カバーエリア２−２が広くなり、カバーエリア２−２の端に存在していた移動端末３−３がカバーエリア２−２の外に出にくくなる。これにより、移動端末３−３が少し移動しても、カバーエリア２−２の外に出ることはない。これにより、無線リソースに余裕がある場合は、その無線リソースを有効に利用することができる。
【００５９】
また、無線ＬＡＮ基地局の数については、上述した数に限らない。
【図面の簡単な説明】
【００６０】
【図１】本発明の無線ＬＡＮシステムの実施の一形態を示す図である。
【図２】図１に示した無線ＬＡＮシステムにおける無線ＬＡＮ基地局の構成を示す図である。
【図３】図２に示した受信電界強度格納部の内容を示す図である。
【図４】図１に示した無線ＬＡＮシステムにおける移動端末の構成を示す図である。
【図５】図１〜４に示した無線ＬＡＮシステムにおけるＲＳＳＩ閾値の変更方法を説明するためのフローチャートである。
【図６】図５のフローチャートにて説明するＲＳＳＩ閾値の変更方法における無線ＬＡＮ基地局と接続される移動端末の数とＲＳＳＩ閾値とのヒステリシス特性を示す図である。
【図７】ＲＳＳＩ閾値が挿入されて生成されるＢｅａｃｏｎフレームのフォーマットを示す図である。
【図８】図７に示したＢｅａｃｏｎフレームのフレーム本体（ボディ）の内容を示す図である。
【図９】図５に示したフローチャートにて説明したＲＳＳＩ閾値の変更方法によりＲＳＳＩ閾値及が変更された移動端末における処理を説明するためのフローチャートである。
【図１０】移動端末に設定されるＲＳＳＩ閾値が現在設定されている値よりも高い値に変更された場合の無線ＬＡＮシステムの様子を示す図である。
【図１１】移動端末に設定されるＲＳＳＩ閾値が現在設定されている値よりも低い値に変更された場合の無線ＬＡＮシステムの様子を示す図である。
【符号の説明】
【００６１】
１−１〜１−３    無線ＬＡＮ基地局
２−１〜２−３    カバーエリア
３−１〜３−ｎ    移動端末
１１，３１    無線インタフェース部
１２    接続端末管理部
１３，３２    受信電界強度測定部
１４    受信電界強度格納部
１５    閾値計算部
１６，３３    閾値格納部
１７    フレーム生成部
３４    比較部
３５    処理部
５１    フレーム本体（ボディ）
【図１】
2007174543.tif 000003
【図２】
2007174543.tif 000004
【図３】
2007174543.tif 000005
【図４】
2007174543.tif 000006
【図５】
2007174543.tif 000007
【図６】
2007174543.tif 000008
【図７】
2007174543.tif 000009
【図８】
2007174543.tif 000010
【図９】
2007174543.tif 000011
【図１０】
2007174543.tif 000012
【図１１】
2007174543.tif 000013